(57)【要約】【課題】浴室１の外に載置した音響機器８から出力される音声信号をアンプ２に入力しスピーカ２１で再生する構成では、音響機器８に赤外線式の音響リモコン７が付属していても、音響リモコン７を用いて浴室１内から音響機器８の操作を行うことができない。【解決手段】音響リモコン７から照射された赤外線を受光し電気信号に変換する受光素子４１を浴室１内に設けると共に、変換された電気信号を信号増幅器５で増幅した後、音響機器８の近傍に取り付けられた発光素子６２から赤外線を音響機器８に照射するようにした。【選択図】  図２
2006174314.tif 000002
【特許請求の範囲】
【請求項１】
浴室以外の所定位置に載置され、赤外線式のリモコンによって操作される音響機器に、浴室内のリモコンから照射された赤外線と同じ信号が重畳された赤外線を、音響装置の載置位置から音響機器に対して照射する浴室用信号伝達装置において、浴室内に、浴室内のリモコンから照射された赤外線を受光する受光部を設けると共に、音響機器の載置位置に、信号が重畳された赤外線を照射する照射部を設け、これら受光部と照射部とを信号伝達経路で連結したことを特徴とする浴室用信号伝達装置。
【請求項２】
上記受光部には、赤外線の重畳された信号を電気信号に変換する受光素子を設けると共に、照射部には電気信号を赤外線に変換する発光素子を設け、受光素子から出力される電気信号を増幅して発光素子に供給する増幅手段で上記信号伝達経路を構成したことを特徴とする請求項１に記載の浴室用信号伝達装置。
【請求項３】
上記信号伝達経路を、両端が各々受光部と照射部とに臨むように配設された光ファイバで構成したことを特徴とする請求項１に記載の浴室用信号伝達装置。
【請求項４】
上記受光部に、リモコンから照射された赤外線を光ファイバの端部に集光する集光手段を設けたことを特徴とする請求項３に記載の浴室用信号伝達装置。
【発明の詳細な説明】
【技術分野】
【０００１】
本発明は、例えば音響用のスピーカを備えた浴室に適用され、浴室外に載置された音響機器から出力される音声信号でスピーカを鳴動させる場合に、浴室内のリモコンで音響機器の制御を行うための浴室用信号伝達装置に関する。
【背景技術】
【０００２】
浴室に音響用のスピーカを取り付け、このスピーカから音楽等を発音させて入浴中に音楽を楽しむための装置が提案されている（例えば、特許文献１参照）。浴室の外側に、音楽信号を出力するための音響機器を専用で設けてもよいが、そのような音響機器は入浴中しか使用しないので不経済である。
【０００３】
そこで、特許文献１に記載されているように、浴室外の所定位置に音声信号の入力端子を設け、その入力端子に既製の音響機器の音声出力端子を接続することによって、音響機器から出力される音声信号で浴室内のスピーカを鳴動させることが望まれている。
【０００４】
なお、浴室外に載置された音響機器の操作、例えば選曲や音量調節などの操作を行うために入浴中に浴室から出なければいけないとするときわめて不便である。
【０００５】
そこで、音響機器が赤外線リモコンで操作できる場合には、上記特許文献１記載のものでは、音響機器に付属しているリモコンの信号パターンをコピーして記憶しておき、必要に応じて記憶したパターンの信号を赤外線に重畳させて音響機器に向かって照射する機能を備えた学習リモコン装置を別途設けている。
【特許文献１】特開平５−３２８４４３号公報（請求項１、図１、図２）
【発明の開示】
【発明が解決しようとする課題】
【０００６】
上記従来のものでは、音響機器に付属しているリモコンを実際に作動させ、信号が重畳されている赤外線を受光して、各操作機能毎に信号パターンを記憶させなければならず、このような信号パターンの読み取りおよび記憶操作がきわめて煩わしいばかりか、この煩わしい操作を予めしておかなければ、音響機器の制御を行うことができない。
【０００７】
さらに、浴室外に載置される音響機器は既製のものであるため、使用者が所有している他のメーカの音響機器と交換する場合が生じるが、その場合には音響機器を交換する毎に信号パターンを記憶させるという操作を再度行わなければならない。
【０００８】
そこで本発明は、上記の問題点に鑑み、リモコンの信号パターンを予め記憶させる操作を使用者が行う必要のない浴室用信号伝達装置を提供することを課題とする。
【課題を解決するための手段】
【０００９】
上記課題を解決するために本発明による浴室用信号伝達装置は、浴室以外の所定位置に載置され、赤外線式のリモコンによって操作される音響機器に、浴室内のリモコンから照射された赤外線と同じ信号が重畳された赤外線を、音響装置の載置位置から音響機器に対して照射する浴室用信号伝達装置において、浴室内に、浴室内のリモコンから照射された赤外線を受光する受光部を設けると共に、音響機器の載置位置に、信号が重畳された赤外線を照射する照射部を設け、これら受光部と照射部とを信号伝達経路で連結したことを特徴とする。
【００１０】
音響機器の操作を行うための信号パターンを読み取って記憶するのではなく、音響機器の操作を行うことのできるリモコンをそのまま浴室内で使用し、そのリモコンから浴室内に照射された信号を浴室外の音響機器に伝達することにより、浴室内のリモコンで浴室外の音響機器の操作を行う。
【００１１】
例えば、上記受光部には、赤外線の重畳された信号を電気信号に変換する受光素子を設けると共に、照射部には電気信号を赤外線に変換する発光素子を設け、受光素子から出力される電気信号を増幅して発光素子に供給する増幅手段で上記信号伝達経路を構成すれば、電気信号に変換しているので増幅するほか、フィルタ処理も容易に行うことができるので、信号の劣化という不具合が生じず、かつＳ／Ｎ比の高い信号を音響機器に照射させることができる。
【００１２】
あるいは、上記信号伝達経路を、両端が各々受光部と照射部とに臨むように配設された光ファイバで構成すれば、構成をきわめて簡素化することができる。
【００１３】
なお、上記受光部に、リモコンから照射された赤外線を光ファイバの端部に集光する集光手段を設けることが望ましい。
【発明の効果】
【００１４】
以上の説明から明らかなように、本発明は、浴室内のリモコンで直接音響機器の操作を行うので、信号パターンを読み取って記憶する操作を行わなくてもよく、さらに、音響機器を取り替えても、その後に再度信号パターンを記憶させるなどという煩わしい操作を行う必要がない。
【発明を実施するための最良の形態】
【００１５】
図１および図２を参照して、１は本発明による浴室用信号伝達装置が設置されている浴室である。この浴室１の天井裏にはアンプ２が取り付けられており、このアンプ２の音声出力により鳴動する１対の防水スピーカ２１が、浴室１の天井に取り付けられている。
【００１６】
一方、浴室１の壁面には図外の給湯装置のリモコン機能を備えたテレビリモコン３が取り付けられている。このテレビリモコン３内にはチューナ部が内蔵されておらず、浴室１の天井裏に取り付けられたチューナ部３１からテレビ画像およびテレビ音声の信号がテレビリモコン３に供給される。
【００１７】
テレビリモコン３は前面に操作ボタンを有しているが、赤外線式の防水リモコン３２によってもコントロールされる。また、この防水リモコン３２は上記アンプ２のコントロールも合わせて行うことができ、スピーカ２１で再生される音量の増減や、アンプに入力される外部入力のソースを切り換えることができる。
【００１８】
防水リモコン３２から射出された赤外線は、浴室１に取り付けた受光部に受光され、電気信号に変換される。その信号は一旦アンプ２に入力されるが、テレビリモコン３に関する信号の場合には、アンプ２を通り抜けてチューナ部３１に転送される。
【００１９】
テレビリモコン３はスピーカを前面に内蔵しているが、防水リモコン３２に対して操作することにより、テレビリモコン３が内蔵しているスピーカが消音され、チューナ部３１からアンプ２に音声信号を入力して防水スピーカ２１からテレビ音声を発音させることができる。
【００２０】
一方、浴室１に隣設する脱衣室に可搬式の音響機器８が載置される。そして、この音響機器８が載置される場所に照射部６を設けた。この照射部６には音声入力用の端子６１が設けられており、この端子６１に音響機器８から出力される音声信号を入力できるようにした。
【００２１】
端子６１に入力された音声信号はアンプ２に外部入力ソースの１つとして入力される。したがって、防水リモコン３２を操作することにより、防水スピーカ２１から発音される音声を、音響機器８から出力される音楽等の音声に切り換えることができ、かつその音量は防水リモコン３２に対する操作によって行うことができる。
【００２２】
そしてさらに、浴室１の壁面に受光部４を設けた。この受光部４は中央には光電変換を行う受光素子４１を備えており、上記受光部２２と同じく赤外線式のリモコンから照射される赤外線を受光して電気信号に変換するものである。そして、この受光素子４１で変換された電気信号は信号増幅器５に入力される。そしてこの信号増幅器５で増幅された信号は赤外線を発光する発光素子６２に供給される。
【００２３】
この発光素子６２は照射部６に設けられており、発光素子６２から照射される赤外線は、照射部６の近傍に載置されている音響機器８に十分な照度で到達することができる。
【００２４】
この音響機器８には専用の赤外線器の音響リモコン７が付属しており、その音響リモコン７を浴室内に持ち込み、浴室１内で音響リモコン７を操作すると、音響リモコン７から照射される赤外線が受光素子４１に受光され、音響リモコン７から照射された赤外線と同じ信号が重畳された赤外線が発光素子６２から照射される。
【００２５】
したがって、音響リモコン７を浴室１内で操作しても、浴室１の外に載置した音響機器８のコントロールを行うことができる。なお、音響機器８に付属する音響リモコン７が防水仕様でない場合には、市販の透明な防水パックに音響リモコン７を入れて浴室１内で使用すればよい。また、各音響メーカが採用する信号パターンを複数社分予め記憶した汎用リモコンであって、防水仕様のものが市販されていれば、その汎用リモコンを音響リモコン７として使用してもよい。さらに、防水リモコン３２に各音響メーカが採用する信号コードを記憶させ、防水リモコン３２に汎用リモコンとしての機能を付加すれば、音響リモコン７の代わりに、防水リモコン３２を用いて外部の音響機器８のコントロールを行うようにしてもよい。
【００２６】
次に、図３および図４を参照して、上記の実施の形態では、音響リモコン７から照射された赤外線を一旦電気信号に変換したが、浴室１内と音響機器８の載置場所とを光ファイバ９で連結し、音響リモコン７から照射された赤外線を電気信号に変換することなく、そのまま音響機器８に伝達させるようにしてもよい。
【００２７】
このものでは、受光部にレンズ９２を取り付け、音響リモコン７から照射された赤外線を光ファイバ９の一端に集光し、光ファイバへの赤外線の入光量を増加させるようにした。なお、さらに入光量を増加させるため、集光器９１を用いてもよい。この集光器９１は椀状に形成されており、内面９１ａに鏡面加工が施されている。また、レンズ９２の周囲にも同じく鏡面加工された反射面９１ｂを形成し、音響リモコン７から照射された赤外線が反射面９１ｂと内面９１ａとで反射されて、レンズ９２に集光されるようにした。
【００２８】
また、光ファイバ９の他端から射出される赤外線はレンズ９３によって指向性が高められた状態で音響機器８に照射されるようにした。
【００２９】
このように構成することによって、音響リモコン７から照射された赤外線を、そのまま直接音響機器８まで伝達させることができる。
【００３０】
ところで、音響機器８がステレオセットのように、アンプ２を介さずに直接スピーカ２１を鳴動させるだけの大きさの音声信号を出力できる場合などでは、アンプ２を備えないシステムに本発明による浴室用信号伝達装置を適用してもよい。
【００３１】
また、上記実施の形態では、音響機器８のコントロールを行う場合について説明したが、ビデオ再生装置やＤＶＤ再生装置、その他の音声信号および画像信号を出力する機器のコントロールを行うために本発明を用いてもよい。なお、その場合には画像信号はテレビリモコン３に表示されるように、チューナ部３１に入力する。
【００３２】
なお、本発明は上記した形態に限定されるものではなく、本発明の要旨を逸脱しない範囲内において種々の変更を加えてもかまわない。
【図面の簡単な説明】
【００３３】
【図１】本発明が適用される浴室の内観図
【図２】本発明が適用されるシステムを示すブロック図
【図３】集光器の外観を示す図
【図４】他の形態の構成を示す概略図
【符号の説明】
【００３４】
１  浴室
２  アンプ
３  テレビリモコン
４  受光部
５  信号増幅器
６  照射部
７  音響リモコン
８  音響機器
【図１】
2006174314.tif 000003
【図２】
2006174314.tif 000004
【図３】
2006174314.tif 000005
【図４】
2006174314.tif 000006